(57)【要約】      （修正有）【課題】空気調和機本体の前後方向の少なくとも一端に装着されるチャンバを適正に吊り下げた状態で支持できるチャンバ支持金具を提供する。【解決手段】空気調和機本体の前後方向の少なくとも一端に装着される箱形のチャンバ１４０を吊り下げるためのチャンバ支持金具５は、チャンバ１４０の角部に添設された状態に取り付けられ、チャンバ１４０に固定される固定部６３と、固定部６３からチャンバ１４０の端面を超えて延設される延設部６４と、を有し、延設部６４の先端に吊りボルトを接続する接続部６６が設けられる構成である。【選択図】図３
0003229813.tif 000002
【実用新案登録請求の範囲】
【請求項１】
空気調和機本体の前後方向の少なくとも一端に装着される箱形のチャンバを吊り下げるためのチャンバ支持金具であって、
前記チャンバの角部に添設された状態に取り付けられ、前記チャンバに固定される固定部と、
前記固定部から前記チャンバの側面を超えて延設される延設部と、
を備え、 
前記延設部の先端に吊りボルトを接続する接続部が設けられることを特徴とするチャンバ支持金具。
【請求項２】
前記チャンバは、前記空気調和機本体の前記前後方向に直交する左右方向の長さが前記空気調和機本体よりも短尺であり、
前記チャンバ支持金具は、前記固定部が前記チャンバに固定され、前記延設部が前記チャンバの左右方向の少なくとも一方の側面を超えて延設されることを特徴とする請求項１に記載のチャンバ支持金具。
【請求項３】
前記固定部は、前記空気調和機本体に装着される端面とは反対側の端面の上部又は下部の角部に添設されることを特徴とする請求項２に記載のチャンバ支持金具。
【請求項４】
前記チャンバ支持金具は、前記固定部が前記チャンバに固定され、前記延設部が前記チャンバの前後方向の端面を超えて延設されることを特徴とする請求項１に記載のチャンバ支持金具。
【請求項５】
空気調和機本体の前後方向の少なくとも一端に、前記空気調和機本体の左右方向の長さよりも短尺である箱形のチャンバが装着された空気調和機を吊り下げた状態で支持する空気調和機支持構造であって、
前記空気調和機本体の上面側を左右方向に横断する一対の第１フレーム部材と、前記空気調和機本体の左右両側面の近傍において前記空気調和機本体の上面側を前後方向に横断する一対の第２フレーム部材とを井桁状に組み付けて構成されるフレーム枠体と、
前記フレーム枠体に取り付けられ、前記空気調和機本体の左右両側面を支持する複数の第１支持部材と、
前記フレーム枠体の前記第２フレーム部材に取り付けられ、前記チャンバを支持する複数の第２支持部材と、
前記チャンバの角部に添設された状態で固定され、前記チャンバの左右方向の少なくとも一方の側面を超えて延設される延設部を有するチャンバ支持金具と、
を備え、
前記複数の第２支持部材のうちの少なくとも１つの第２支持部材は、前記第２フレーム部材から垂下し、前記チャンバ支持金具の先端に接続されることにより、前記チャンバを支持することを特徴とする空気調和機支持構造。
【請求項６】
前記チャンバ支持金具は、前記チャンバの、前記空気調和機本体に装着される端面とは反対側の端面の上部又は下部の角部に添設されることを特徴とする請求項５に記載の空気調和機支持構造。
【請求項７】
前記延設部は、第２フレーム部材の直下の位置を超える位置まで延設されることを特徴とする請求項５又は６のいずれかに記載の空気調和機支持構造。
【考案の詳細な説明】
【技術分野】
【０００１】
本考案は、空気調和機本体の端部に装着されるチャンバを支持するチャンバ支持金具及びそれを備える空気調和機支持構造に関する。
【背景技術】
【０００２】
天井空間に隠蔽された状態で設置される空気調和機として、空気調和機本体の端部に吹出チャンバなどのチャンバが一体的に装着された状態で設置されるものが知られている。従来、この種の空気調和機を天井空間に設置する作業を効率化するため、空気調和機本体に対してチャンバが装着された状態の空気調和機を支持する支持装置が提案されている（例えば特許文献１）。この従来の支持装置は、空気調和機の上面側に井桁状のフレーム枠体を配置し、そのフレーム枠体から垂下する支持ボルトで、空気調和機本体とチャンバの左右両側面を支持するように構成される。
【先行技術文献】
【特許文献】
【０００３】
【特許文献１】特開２０１９−２０７０９５号公報
【考案の概要】
【考案が解決しようとする課題】
【０００４】
しかしながら、空気調和機本体に装着されるチャンバには様々なサイズがあり、左右方向のサイズが必ずしも空気調和機本体のサイズと同程度であるとは限らない。例えば、図９（ａ）に示すように、空気調和機本体１２０の左右方向の長さＬ１よりも短い長さＬ２の吹出チャンバ１４０が空気調和機本体１２０の吹出口に設けられるフランジ部１２１に装着される空気調和機１００が天井空間に設置されることがある。この場合、図９（ｂ）に示すように、空気調和機本体１２０のフランジ部１２１に対して吹出チャンバ１４０のフランジ部１４１が装着されたとき、吹出チャンバ１４０の左右方向両端のうち、少なくとも一方の端部が空気調和機本体１２０の端部の位置に届かない状態となる。そのため、空気調和機本体１２０の左右両側面に設けられた取付片１２３を支持することができるサイズで従来のフレーム枠体を形成すると、そのフレーム枠体から吹出チャンバ１４０を支持するための支持ボルトを垂下させたとしても、支持ボルトの下端部を吹出チャンバ１４０の端面に取り付けられる係合片１４３に接続することができないという問題がある。尚、空気調和機本体１２０の吸気口に設けられるフランジ部１３１に吸気チャンバが装着される場合も同様である。
【０００５】
上記問題は、フレーム枠体から垂下する支持ボルトによってチャンバを支持する場合に限らず、天井スラブなどの天井構造に取り付けた吊りボルトによってチャンバを直接支持する場合にも生じ得る。例えば、図１０に示すように、空気調和機１００が吊設される天井構造２００がデッキプレート２１０の上面側に天井スラブ２２０が打設された構造である場合、デッキプレート２１０に複数の吊りボルト１０９が取り付けられ、それら複数の吊りボルト１０９によって空気調和機１００を吊設した状態で支持することがある。通常、デッキプレート２１０は、図１０に示すように、山部２１１と谷部２１２とが所定ピッチで形成された波型形状を有している。このようなデッキプレート２１０に吊りボルト１０９を取り付ける際には、強度低下を防止するために、山部２１１に対して吊りボルト１０９を取り付けることが推奨されている。ところが、上述のように空気調和機本体１２０と吹出チャンバ１４０との左右方向の長さが異なる場合、空気調和機本体１２０の左右両側面を支持する吊りボルト１０９をデッキプレート２１０の山部２１１に設置して垂下させると、吹出チャンバ１４０を支持する吊りボルト１０９ａを鉛直方向に取り付けることができないことが起こり得る。この場合、吊りボルト１０９ａは、図１０に示すように例えば斜め方向に取り付けざるを得ず、支持強度を低下させてしまったり、空気調和機１００の姿勢を不安定にしてしまうといった問題がある。
【０００６】
この問題は、チャンバの左右方向に限らず、前後方向についても同様に起こり得る。例えば、図１１に示すように、空気調和機１００の前後方向（Ｙ方向）にデッキプレート２１０の波形形状が存在する場合、空気調和機本体１２０の左右両側面に設けられた取付片１２３をデッキプレート２１０の山部２１１の直下に配置し、山部２１１から垂下する吊りボルト１０９の下部を取付片１２３に接続することで、空気調和機本体１２０が天井空間に吊り下げられた状態で設置される。この場合、空気調和機本体１２０の一端に装着される吹出チャンバ１４０も天井構造２００に取り付けられた吊りボルト１０９ａによって支持される。しかし、吹出チャンバ１４０の端面に取り付けられる係合片１４３をデッキプレート２１０の山部２１１の直下に配置することができないことがある。そのため、図１１に示すように、吹出チャンバ１４０を支持する吊りボルト１０９ａを斜め方向に取り付けざるを得ず、支持強度を低下させてしまったり、空気調和機１００の姿勢を不安定にしてしまうという問題が生じる。
【０００７】
そこで本考案は、上記問題点を解決するためになされたものであり、空気調和機本体の前後方向の少なくとも一端に装着されるチャンバを適正に吊り下げた状態で支持できるようにしたチャンバ支持金具、及び、空気調和機支持構造を提供することを目的とする。
【課題を解決するための手段】
【０００８】
上記目的を達成するため、第１に、本考案は、空気調和機本体の前後方向の少なくとも一端に装着される箱形のチャンバを吊り下げるためのチャンバ支持金具であって、前記チャンバの角部に添設された状態に取り付けられ、前記チャンバに固定される固定部と、前記固定部から前記チャンバの側面を超えて延設される延設部と、を備え、前記延設部の先端に吊りボルトを接続する接続部が設けられることを特徴とする構成である。
【０００９】
第２に、本考案は、上記第１の構成を有するチャンバ支持金具において、前記チャンバは、前記空気調和機本体の前記前後方向に直交する左右方向の長さが前記空気調和機本体よりも短尺であり、前記チャンバ支持金具は、前記固定部が前記チャンバに固定され、前記延設部が前記チャンバの左右方向の少なくとも一方の側面を超えて延設されることを特徴とする構成である。
【００１０】
第３に、本考案は、上記第２の構成を有するチャンバ支持金具において、前記固定部は、前記空気調和機本体に装着される端面とは反対側の端面の上部又は下部の角部に添設されることを特徴とする構成である。
【００１１】
第４に、本考案は、上記第１の構成を有するチャンバ支持金具において、前記チャンバ支持金具は、前記固定部が前記チャンバに固定され、前記延設部が前記チャンバの前後方向の端面を超えて延設されることを特徴とする構成である。
【００１２】
第５に、本考案は、空気調和機本体の前後方向の少なくとも一端に、前記空気調和機本体の左右方向の長さよりも短尺である箱形のチャンバが装着された空気調和機を吊り下げた状態で支持する空気調和機支持構造であって、前記空気調和機本体の上面側を左右方向に横断する一対の第１フレーム部材と、前記空気調和機本体の左右両側面の近傍において前記空気調和機本体の上面側を前後方向に横断する一対の第２フレーム部材とを井桁状に組み付けて構成されるフレーム枠体と、前記フレーム枠体に取り付けられ、前記空気調和機本体の左右両側面を支持する複数の第１支持部材と、前記フレーム枠体の前記第２フレーム部材に取り付けられ、前記チャンバを支持する複数の第２支持部材と、前記チャンバの角部に添設された状態で固定され、前記チャンバの左右方向の少なくとも一方の側面を超えて延設される延設部を有するチャンバ支持金具と、を備え、前記複数の第２支持部材のうちの少なくとも１つの第２支持部材は、前記第２フレーム部材から垂下し、前記チャンバ支持金具の先端に接続されることにより、前記チャンバを支持することを特徴とする構成である。
【００１３】
第６に、本考案は、上記第５の構成を有する空気調和機支持構造において、前記チャンバ支持金具は、前記チャンバの、前記空気調和機本体に装着される端面とは反対側の端面の上部又は下部の角部に添設されることを特徴とする構成である。
【００１４】
第７に、本考案は、上記第５又は第６の構成を有する空気調和機支持構造において、前記延設部は、第２フレーム部材の直下の位置を超える位置まで延設されることを特徴とする構成である。
【考案の効果】
【００１５】
本考案によれば、空気調和機本体の前後方向の少なくとも一端に装着されるチャンバの左右方向の長さが空気調和機本体よりも短尺である場合であってもチャンバを適正に吊り下げた状態で支持することができるようになる。
【図面の簡単な説明】
【００１６】
【図１】チャンバ支持金具を用いた空気調和機の支持構造を示す斜視図である。
【図２】空気調和機の一構成例を示す図である。
【図３】吹出チャンバに対するチャンバ支持金具の取付態様の一例を示す図である。
【図４】吹出チャンバの下部の角部に添設されるチャンバ支持金具の一例を示す図である。
【図５】チャンバ支持金具の別の形態を示す図である。
【図６】空気調和機を天井構造に吊り下げた状態の別の例を示す図である。
【図７】チャンバ支持金具を空気調和機の前後方向に配置した例を示す図である。
【図８】チャンバ支持金具を用いて空気調和機本体に装着されたチャンバを吊りボルトで支持する支持構造の例を示す図である。
【図９】空気調和機本体よりも左右方向の長さが短尺であるチャンバが空気調和機本体に装着される空気調和機の例を示す図である。
【図１０】空気調和機本体よりも左右方向の長さが短尺であるチャンバを天井構造に取り付けた吊りボルトで支持する従来例を示す図である。
【図１１】空気調和機本体に装着されたチャンバを天井構造に取り付けた吊りボルトで支持する別の従来例を示す図である。
【考案を実施するための形態】
【００１７】
以下、本考案の好ましい実施形態について図面を参照しつつ詳細に説明する。尚、以下において参照する各図面では互いに共通する部材に同一符号を付しており、それらについての重複する説明は省略する。
【００１８】
図１は、本考案の一実施形態である空気調和機１００の支持構造を示す斜視図であり、図２は、空気調和機１００の構成例を示す斜視図である。図１及び図２に示すＸＹＺ三次元座標系は、ＸＹ平面を水平面とし、Ｚ方向を鉛直方向とする座標系であって互いに共通する座標系である。尚、他の図に示すＸＹＺ三次元座標系もこれと共通する座標系である。本実施形態では、便宜上、Ｘ方向を空気調和機１００の左右方向と定義し、Ｙ方向を空気調和機１００の前後方向と定義する。
【００１９】
図１では、空気調和機１００に支持装置１を組み付け、支持装置１を天井スラブなどの天井構造に取り付けることにより、空気調和機１００を天井空間に吊り下げた状態で支持する支持構造を例示している。すなわち、支持装置１は、隠蔽式の空気調和機１００を天井空間に吊り下げた状態で支持する装置である。隠蔽式の空気調和機１００は、天井スラブなどの天井構造と天井パネルとの間の天井空間に隠蔽された状態で設置される空気調和機である。
【００２０】
図２に示すように、空気調和機１００は、空気調和機本体１２０と、フィルタユニット１３０と、吹出チャンバ１４０と、吸気チャンバ１５０とが一体的に組み付けられることにより構成される。空気調和機本体１２０は、内部に熱交換機やファンなどが設けられ、後方側の吸気口から空気を流入させ、前方側の吹出口から空調された空気を吹き出すユニットである。フィルタユニット１３０は、空気調和機本体１２０の後方側に組み付けられ、空気調和機本体１２０と一体物となる。すなわち、フィルタユニット１３０は、空気調和機本体１２０の一部を構成する。フィルタユニット１３０の内部には、空気調和機本体１２０の内部へ流入する空気から塵埃などを除去するフィルタが設けられる。尚、フィルタユニット１３０は、予め空気調和機本体１２０に対して一体的に組み付けられたものであっても構わない。この空気調和機本体１２０は、左右方向（Ｘ方向）に長さＬ１を有する箱形のユニットとして形成される。
【００２１】
空気調和機本体１２０の前方側には吹出口が設けられる。その吹出口の周縁部は前方側に突出させたフランジ部１２１として形成され、そのフランジ部１２１に吹出チャンバ１４０を装着することが可能である。すなわち、フランジ部１２１は、空気調和機本体１２０の前方側に吹出チャンバ１４０を装着するための装着部である。また、空気調和機本体１２０の後方側（フィルタユニット１３０の後方側）には、吸気口が設けられる。その吸気口の周縁部は後方側に突出させたフランジ部１３１として形成され、そのフランジ部１３１に吸気チャンバ１５０を装着することが可能である。すなわち、フランジ部１３１は、空気調和機本体１２０の後方側に吸気チャンバ１５０を装着するための装着部である。
【００２２】
また、空気調和機本体１２０の左右両側面には、空気調和機本体１２０を吊り下げた状態で支持するボルト部材を取り付けるための取付片１２３が設けられる。本実施形態では、空気調和機本体１２０の左右両側面の上端近傍に取付片１２３が設けられる場合を例示しているが、これに限られるものではない。すなわち、取付片１２３は、空気調和機本体１２０の左右両側面の中央又は下端近傍に設けられるものであっても構わない。このような取付片１２３は、例えば、ビスなどによって空気調和機本体１２０の側面に取り付けられる。
【００２３】
吹出チャンバ１４０は、内部が中空の箱形ユニットである。例えば、吹出チャンバ１４０は、左右方向の長さＬ２が空気調和機本体１２０の長さＬ１より短尺である。吹出チャンバ１４０は、その外周面に複数の吹出口１４２が設けられている。これら吹出口１４２には、図示を省略するフレキシブルダクトなどが接続される。フレキシブルダクトは、吹出チャンバ１４０と室内空間とを接続し、空調された空気を室内空間へ供給するための柔軟性を有するダクトである。吹出チャンバ１４０の空気調和機本体１２０と対向する面（後方側の面）には、空気調和機本体１２０に接続するための接続口が設けられる。その接続口の周縁部は後方側に突出させたフランジ部１４１として形成される。吹出チャンバ１４０に形成されるフランジ部１４１は、空気調和機本体１２０に形成されるフランジ部１２１の内側又は外側に重ね合わせるように装着することが可能である。２つのフランジ部１４１，１２１のうちのいずれか一方を他方の内側に差し込んで互いに重ね合わせた状態とし、外部からビス等を打ち込むことで２つのフランジ部１４１，１２１が相互に固定される。そして互いに固定されたフランジ部１４１，１２１の外周面に断熱材を巻き付けることで吹出チャンバ１４０が空気調和機本体１２０に一体的に組み付けられる。すなわち、フランジ部１４１は、空気調和機本体１２０の前方側に吹出チャンバ１４０を装着するための装着部である。
【００２４】
吸気チャンバ１５０は、吹出チャンバ１４０と同様に、内部が中空の箱形ユニットである。本実施形態では、吸気チャンバ１５０の左右方向の長さが空気調和機本体１２０の長さＬ１とほぼ同程度の長さである場合を例示している。吸気チャンバ１５０には、図示を省略する吸気口が設けられ、その吸気口から室外又は室内の空気を取り入れ、空気調和機本体１２０へ供給する。吸気チャンバ１５０の空気調和機本体１２０と対向する面（前方側の面）には、空気調和機本体１２０との接続口が設けられる。その接続口の周縁部は前方側に突出させたフランジ部１５１として形成される。吸気チャンバ１５０に形成されるフランジ部１５１は、空気調和機本体１２０に形成されるフランジ部１３１の内側又は外側に重ね合わせるように装着することが可能である。２つのフランジ部１５１，１３１のうちのいずれか一方を他方の内側に差し込んで互いに重ね合わせた状態とし、外部からビス等を打ち込むことで２つのフランジ部１５１，１３１が相互に固定され、吸気チャンバ１５０が空気調和機本体１２０に組み付けられる。すなわち、フランジ部１５１は、空気調和機本体１２０の後方側に吸気チャンバ１５０を装着するための装着部である。
【００２５】
例えば、本実施形態の空気調和機１００は、空気調和機本体１２０よりも左右方向の長さが短尺である吹出チャンバ１４０が空気調和機本体１２０の前方側端面に対して左寄りの位置に装着される。より具体的には、吹出チャンバ１４０は、左側面のＸ方向における位置を空気調和機本体１２０の左側面の位置とほぼ同じ位置に揃えた状態で空気調和機本体１２０に装着される。その結果、Ｘ方向に関して吹出チャンバ１４０の右側面は、空気調和機本体１２０の右側面の位置に届かない状態で空気調和機本体１２０に装着される。
【００２６】
空気調和機１００は、上記のように空気調和機本体１２０の前後方向の両端に対して吹出チャンバ１４０と吸気チャンバ１５０とが装着されることにより、一体物となる。尚、本実施形態では、空気調和機本体１２０の前後方向の両端に対して吹出チャンバ１４０と吸気チャンバ１５０とが装着される空気調和機１００を例示しているが、これに限られるものではない。例えば、空気調和機１００は、空気調和機本体１２０の前後方向の少なくとも一端に吹出チャンバ１４０又は吸気チャンバ１５０が装着されるものであっても構わない。
【００２７】
吹出チャンバ１４０や吸気チャンバ１５０は、上述のように内部が中空のユニットであり、空気調和機本体１２０とは異なるメーカーによって作成されることが多い。すなわち、吹出チャンバ１４０や吸気チャンバ１５０のサイズや形状は、空気調和機本体１２０のサイズと形状、並びに、空気調和機１００が設置される天井空間に基づいて設計され、空気調和機本体１２０とは別に作成される。そのため、上記のように、吹出チャンバ１４０の左右方向の長さＬ２が空気調和機本体１２０の左右方向の長さＬ１よりも短尺となることがある。このような吹出チャンバ１４０や吸気チャンバ１５０は、空気調和機本体１２０とは別に設置現場に搬送される。したがって、空気調和機本体１２０に吹出チャンバ１４０や吸気チャンバ１５０を組み付けて一体的な空気調和機１００を作成する作業は、空気調和機１００の設置現場で行われるのが一般的である。
【００２８】
本実施形態の支持装置１は、上記のように設置現場で吹出チャンバ１４０と吸気チャンバ１５０とを空気調和機本体１２０に組み付けて一体的な空気調和機１００を作成する作業が行われることに伴い、図１に示すように、空気調和機１００に取り付けられる。以下、支持装置１の詳細について説明する。
【００２９】
図１に示すように、支持装置１は、吹出チャンバ１４０及び吸気チャンバ１５０が空気調和機本体１２０に対して一体的に組み付けられた空気調和機１００の上面側に配置され、空気調和機本体１２０の左右両側面と、吹出チャンバ１４０及び吸気チャンバ１５０の端面を支持する。この支持装置１が空気調和機１００を支持した状態で天井スラブなどの天井構造に取り付けられることにより、空気調和機１００は、天井空間に吊り下げられた状態に設置される。
【００３０】
支持装置１は、空気調和機本体１２０の上面側を左右方向（Ｘ方向）に横断するように配置される一対の第１フレーム部材１０と、空気調和機本体１２０の上面側を前後方向（Ｙ方向）に横断するように配置される一対の第２フレーム部材２０と、空気調和機１００を支持する支持ボルト（支持部材）４０と、上端部が天井スラブなどの天井構造に取り付けられる吊りボルト５０と、吊りボルト５０の上端部に予め取り付けられる天井取付金具５１と、吹出チャンバ１４０の端面に取り付けられる係合片１４３と、吸気チャンバ１５０の端面に取り付けられる係合片１５３と、吹出チャンバ１４０の端面に取り付けられて左右方向に延設されるチャンバ支持金具５と、を備えている。
【００３１】
例えば、一対の第１フレーム部材１０は、空気調和機本体１２０の左右方向（Ｘ方向）の長さよりも長尺であり、その左右両端部が空気調和機本体１２０の左右両側面に設けられる取付片１２３の上方位置まで延設される。これら一対の第１フレーム部材１０は、空気調和機本体１２０の左右両側面に設けられている取付片１２３の間隔を隔てて互いに平行な状態で空気調和機本体１２０の上面側に配置される。本実施形態では、第１フレーム部材１０は、例えば断面Ｌ型のアングル鋼材（山形鋼）によって構成される。そのため、第１フレーム部材１０は、互いに直角を成す平板部１１と縦板部１２とを有している。この第１フレーム部材１０は、例えば平板部１１が縦板部１２の上端に位置する姿勢で配置される。
【００３２】
一対の第２フレーム部材２０は、Ｘ方向に所定間隔を隔てて互いに平行な状態で空気調和機１００の上方位置に配置される。例えば、第２フレーム部材２０は、第１フレーム部材１０の上側に配置され、第１フレーム部材１０との交点がボルトとナットによる締着部材３０によって第１フレーム部材１０に一体的に固定される。これにより、第１フレーム部材１０及び第２フレーム部材２０は、井桁状のフレーム枠体４を構成する。
【００３３】
例えば、一対の第２フレーム部材２０は、空気調和機１００の前後方向（Ｙ方向）の長さよりも長尺であり、その前後方向両端部が空気調和機１００の前後方向両側に装着された吹出チャンバ１４０及び吸気チャンバ１５０の端面を超える位置まで延設される。ただし、第２フレーム部材２０を１本の棒状材で形成すると、第２フレーム部材２０が長くなってしまい、空気調和機１００の設置現場へ搬入する際の取り扱いが困難になる。そこで、本実施形態の第２フレーム部材２０は、固定フレーム２１と、スライドフレーム２２とを備えており、搬送時には第２フレーム部材２０の長さを縮小し、空気調和機１００への取り付け時には第２フレーム部材２０の長さを長くできるようにしている。スライドフレーム２２は、固定フレーム２１の前後方向両端側に１つずつ装着されており、各スライドフレーム２２を固定フレーム２１の両端部から外側に引っ張り出すことにより、第２フレーム部材２０の長さを空気調和機１００の前後方向の長さよりも長尺に形成することができる。
【００３４】
固定フレーム２１は、例えば断面Ｌ型のアングル鋼材（山形鋼）によって構成される。そのため、固定フレーム２１は、互いに直角を成す平板部１８と縦板部１９とを有している。そして固定フレーム２１は、例えば平板部１８が縦板部１９の下端に位置する姿勢で配置される。固定フレーム２１は、Ｙ方向の長さが、一対の第１フレーム部材１０の設置間隔よりも長尺である。この固定フレーム２１は、前後方向の両端部において平板部１８の下面が第１フレーム部材１０の平板部１１の上面と接合するように配置され、その接合部に対して締着部材３０が取り付けられ、第１フレーム部材１０に固定される。
【００３５】
スライドフレーム２２は、２枚の金属板が互いに平行に配置された二重板構造となっており、一方の金属板の表面中央に、ボルトを挿通可能なスリット２２ａがＹ方向に沿って形成された構成である。スライドフレーム２２は、固定フレーム２１の両端部に取り付けられるボルト２３，２３の軸部がスリット２２ａに挿通されており、ボルト２３，２３が仮止め状態のときに固定フレーム２１に沿ってスライド可能である。また、ボルト２３，２３が締着されると、スライドフレーム２２の端部が固定フレーム２１に固定され、スライド不可能な状態に位置決めされる。尚、ボルト２３，２３の先端には、二重板構造の内側に配置される薄板状のナットが装着されている。また、スリット２２ａには、スライドフレーム２２の表面との間に支持ボルト４０を挟み込んで固定するボルト固定金具２４が取り付けられる。ボルト固定金具２４に取り付けられるボルトが仮止め状態のとき、ボルト固定金具２４は、スリット２２ａに沿ってスライド移動可能である。また、ボルト固定金具２４に取り付けられるボルトが締着されると、ボルト固定金具２４は、スリット２２ａの所定位置に固定され、支持ボルト４０をスライドフレーム２２に対して固定する。尚、ボルト固定金具２４に取り付けられるボルトの先端にも、二重板構造の内側に配置される薄板状のナットが装着されている。
【００３６】
スライドフレーム２２の両端部に取り付けられる支持ボルト４０は、吹出チャンバ１４０又は吸気チャンバ１５０を支持するためのものであり、スライドフレーム２２から垂下するように取り付けられる。例えば、吸気チャンバ１５０の後方側の端面には、少なくとも２箇所の位置に、支持ボルト４０の下端部に係合する係合片１５３が取り付けられる。係合片１５３は、例えばＬ型の金具であり、水平方向の板部に支持ボルト４０を挿通するための孔が設けられており、鉛直方向の板部が吸気チャンバ１５０の端面に取り付けられる。これら係合片１５３は、例えば空気調和機１００の設置現場において、ビスなどを用いて吸気チャンバ１５０の端面に取り付けるようにしても良い。その際、係合片１５３は、スライドフレーム２２の下方位置となるように取付位置が調整される。
【００３７】
また、吹出チャンバ１４０の端面には、係合片１４３と、チャンバ支持金具５とが取り付けられる。係合片１４３は、上述した係合片１５３と同様にＬ型の金具として形成され、水平方向の板部に支持ボルト４０を挿通するための孔が設けられており、鉛直方向の板部が吹出チャンバ１４０の端面に取り付けられる。この係合片１４３は、例えば空気調和機１００の設置現場において、ビスなどを用いて吹出チャンバ１４０の端面に取り付けるようにしても良い。その際、係合片１４３は、左右方向の一方のスライドフレーム２２の下方位置となるように取付位置が調整される。また、チャンバ支持金具５は、吹出チャンバ１４０の左右方向の長さを延長してスライドフレーム２２から垂下する支持ボルト４０の下部を接続するための金具である。
【００３８】
図３は、吹出チャンバ１４０に対するチャンバ支持金具５の取付態様の一例を示す図である。図３に示すように、チャンバ支持金具５は、例えば断面Ｌ型のアングル鋼材（山形鋼）６０によって構成され、水平方向に配置される横板部６１と、鉛直方向に配置される縦板部６２とを備えている。チャンバ支持金具５は、その長手方向（Ｘ方向）の一端側が吹出チャンバ１４０の角部に添設された状態で吹出チャンバ１４０に固定される固定部６３であり、他端側が固定部６３から吹出チャンバ１４０の左右方向の少なくとも一方の側面（端面）を超えて延設される延設部６４である。図３に示すように、例えばチャンバ支持金具５は、吹出チャンバ１４０の空気調和機本体１２０に対向する端面１４０ａとは反対側の端面１４０ｂの上部の角部に固定部６３が添設される。すなわち、固定部６３の横板部６１が吹出チャンバ１４０に上面に接合し、縦板部６２が吹出チャンバ１４０の端面１４０ｂに接合するように配置される。固定部６３の縦板部６２には、少なくとも２箇所の位置にビス６７を打ち付けるための孔６５が形成されている。この孔６５を介してビス６７が吹出チャンバ１４０の端面１４０ｂに打ち付けられることにより、チャンバ支持金具５は、吹出チャンバ１４０の上部の角部に固定される。その結果、延設部６４が吹出チャンバ１４０の側面から更に側方に延設された状態に取り付けられる。
【００３９】
延設部６４の先端は、少なくともスライドフレーム２２の下方位置まで延設される。延設部６４の先端の横板部６１には、支持ボルト４０を挿通する取付孔６６が形成されている。取付孔６６は、延設部６４の先端に支持ボルト４０を接続するための接続部であり、丸孔であっても良いし、長孔であっても良い。この取付孔６６に支持ボルト４０の下端部が挿通されることにより、チャンバ支持金具５は、支持ボルト４０に接続される。したがって、スライドフレーム２２から垂下する支持ボルト４０は、チャンバ支持金具５を介して吹出チャンバ１４０を支持することができる。すなわち、支持ボルト４０は、斜め方向になることがなく、鉛直方向に配設された状態で吹出チャンバ１４０を支持することができる。
【００４０】
図１及び図３では、チャンバ支持金具５が吹出チャンバ１４０の上部の角部に添設される場合を例示した。しかし、これに限られるものではなく、チャンバ支持金具５は、吹出チャンバ１４０の下部の角部に添設されるものであっても構わない。図４は、吹出チャンバ１４０の下部の角部に添設されるチャンバ支持金具５の一例を示す図である。図４に示すチャンバ支持金具５は、吹出チャンバ１４０の空気調和機本体１２０に対向する端面１４０ａとは反対側の端面１４０ｂの下部の角部に固定部６３が添設される。すなわち、固定部６３の横板部６１が吹出チャンバ１４０に下面に接合し、縦板部６２が吹出チャンバ１４０の端面１４０ｂに接合するように配置される。固定部６３の縦板部６２には、少なくとも２箇所の位置にビス６７を打ち付けるための孔６５が形成されている。この孔６５を介してビス６７が吹出チャンバ１４０の端面１４０ｂに打ち付けられることにより、チャンバ支持金具５は、吹出チャンバ１４０の下部の角部に固定される。その結果、延設部６４が吹出チャンバ１４０の側面から更に側方に延設された状態に取り付けられる。尚、延設部６４の先端は、少なくともスライドフレーム２２の下方位置まで延設され、横板部６１に支持ボルト４０を挿通する取付孔６６が形成されている点は、図３に示したチャンバ支持金具５と同様である。
【００４１】
図５は、チャンバ支持金具５の更に別の形態を示す図である。図５に示すチャンバ支持金具５は、固定部６３を構成する横板部６１と縦板部６２のそれぞれにビス６７を打ち付けるための孔６５を形成し、延設部６４を構成する横板部６１と縦板部６２のそれぞれに支持ボルト４０を挿通するための取付孔６６を形成したものである。このようなチャンバ支持金具５は、吹出チャンバ１４０の上部と下部のいずれにも取り付け可能であると共に、吹出チャンバ１４０の左右いずれの方向にも延設部６４を延設させることが可能である。そのため、空気調和機１００の設置現場においてチャンバ支持金具５を取り付ける際の自由度が増すことから、使い勝手の良い金具を実現することができる。
【００４２】
上記のようにしてフレーム枠体４から垂下する複数の支持ボルト４０が空気調和機本体１２０、吹出チャンバ１４０及び吸気チャンバ１５０のそれぞれを支持する状態に取り付けられる。また、図１に示すように、各支持ボルト４０の下端部にゴムなどで構成される防振部材４１とナット４２とを取り付け、各支持ボルト４０は、防振部材４１を介して空気調和機本体１２０、吹出チャンバ１４０及び吸気チャンバ１５０のそれぞれを支持する構造とすることが好ましい。防振部材４１は、例えば円錐台状の形状を有し、中央に支持ボルト４０を挿通する孔が設けられる。その孔に支持ボルト４０の先端を挿通し、支持ボルト４０の下端部にナット４２が装着されることで、防振部材４１は、支持ボルト４０の下端部に取り付けられる。この防振部材４１は、図１に示すように、取付片１２３、係合片１４３，１５３、及び、チャンバ支持金具５の下側に配置されるため、第１フレーム部材１０及び第２フレーム部材２０によって構成されるフレーム枠体４が天井構造に設置されると、支持ボルト４０は、防振部材４１を介して空気調和機本体１２０、吹出チャンバ１４０及び吸気チャンバ１５０のそれぞれを支持する状態となる。
【００４３】
支持装置１は、防振部材４１を介して空気調和機１００を支持することにより、例えば空気調和機１００の運転中に空気調和機本体１２０の内部の熱交換機やファンの作動によって発生する振動が第１フレーム部材１０及び第２フレーム部材２０に伝わることを抑制することができ、吊りボルト５０を介して上のフロアに振動が伝わることを防止することができる。
【００４４】
また、図１に示すように、第２フレーム部材２０の平板部１８には、吊りボルト５０が取り付けられる。例えば、吊りボルト５０は、第２フレーム部材２０の平板部１８に形成された孔に挿通され、２つのナットで平板部１８を挟み込んだ状態に締め付けることにより、吊りボルト５０を平板部１８に固定することができる。
【００４５】
吊りボルト５０の上端部には、天井取付金具５１が取り付けられる。この天井取付金具５１は、空気調和機１００を支持する支持装置１が天井構造の近傍位置まで持ち上げられたときに、天井構造から垂下するボルトに対して吊りボルト５０の上端部を取り付けるための金具である。吊りボルト５０の上端部に、天井取付金具５１が取り付けられることにより、支持装置１を床面作業で空気調和機１００に取り付けることが可能となり、支持装置１を空気調和機１００に取り付ける作業の効率化を図ることができる。
【００４６】
以上のように本実施形態における空気調和機１００の支持構造は、空気調和機本体１２０の上面側を左右方向に横断する一対の第１フレーム部材１０と、空気調和機本体１２０の左右両側面の近傍において空気調和機本体１２０の上面側を前後方向に横断する一対の第２フレーム部材２０とを井桁状に組み付けて構成されるフレーム枠体４と、そのフレーム枠体４に取り付けられ、空気調和機本体１２０の左右両側面を支持する複数の支持ボルト（第１支持部材）４０と、フレーム枠体４の第２フレーム部材２０に取り付けられ、吹出チャンバ１４０を支持する複数の支持ボルト（第２支持部材）４０と、空気調和機本体１２０よりも左右方向の長さが短尺である吹出チャンバ１４０の角部に添設された状態で固定され、吹出チャンバ１４０の左右方向の少なくとも一方の側面を超えて延設される延設部６４を有するチャンバ支持金具５と、を備えており、複数の支持ボルト（第２支持部材）４０のうちの少なくとも１つの支持ボルト（第２支持部材）４０は、第２フレーム部材２０から垂下し、チャンバ支持金具５の先端に接続されることにより、吹出チャンバ１４０を支持する構造である。したがって、本実施形態の支持構造によれば、空気調和機本体１２０の前後方向の少なくとも一端に装着される吹出チャンバ１４０の左右方向の長さが空気調和機本体よりも短尺である場合であっても、吹出チャンバ１４０を適正に吊り下げた状態で支持することが可能である。
【００４７】
上記実施形態では、空気調和機１００の上面側にフレーム枠体４が組み付けられ、フレーム枠体４が吊りボルト５０を介して天井構造に取り付けられることにより、空気調和機１００を天井空間に吊り下げた状態で支持する構造を例示した。しかし、上述したチャンバ支持金具５の用途は、必ずしもフレーム枠体４を用いて空気調和機１００を天井空間に吊り下げた状態で支持する場合の用途に限られない。すなわち、上述したチャンバ支持金具５は、フレーム枠体４を用いずに、空気調和機１００を天井空間に吊り下げた状態で支持する場合にも用いることができる金具である。
【００４８】
図６は、空気調和機１００を天井構造に吊り下げた状態の別の例を示す図である。図６では、空気調和機１００が吊設される天井構造２００がデッキプレート２１０の上面側に天井スラブ２２０が打設された構造である場合を例示している。デッキプレート２１０は、山部２１１と谷部２１２とが所定ピッチで形成された波型形状を有している。このような天井構造２００に対して空気調和機１００が取り付けられる場合、デッキプレート２１０に対してアンカーが設置され、そのアンカーに吊りボルト１０９が取り付けられ、吊りボルト１０９の下端部に空気調和機１００が取り付けられる。尚、吊りボルト１０９の上端部に上述した天井取付金具５１を取り付け、天井取付金具５１を介して吊りボルト１０９を天井構造２００に固定するようにしても良い。デッキプレート２１０に吊りボルト１０９を取り付ける際には、強度低下を防止するために、山部２１１に対して吊りボルト１０９を取り付けることが推奨されている。そのため、吊りボルト１０９をデッキプレート２１０の谷部２１２に設置することはできない。
【００４９】
上記のような天井構造２００において、空気調和機１００を吊り下げるための吊りボルト１０９を設置する際、空気調和機本体１２０よりも左右方向の長さが短尺である吹出チャンバ１４０には、上述したチャンバ支持金具５を取り付けることにより、吹出チャンバ１４０を支持するための吊りボルト１０９ａをデッキプレート２１０の山部２１１に設置することが可能となり、天井構造２００から垂下する吊りボルト１０９ａの下端部をチャンバ支持金具５の取付孔（接続部）６６に取り付けることで、吹出チャンバ１４０を適切に支持することができるようになる。したがって、本実施形態のチャンバ支持金具５を用いれば、従来のように吊りボルト１０９ａが斜め方向に配置されてしまうことを防止することが可能であり、支持強度の低下や、空気調和機１００の姿勢を不安定にしてしまうといった問題を解決することができる。
【００５０】
尚、図６では、吹出チャンバ１４０を支持する吊りボルト１０９ａが空気調和機本体１２０を支持する吊りボルト１０９とは異なる山部２１１に取り付けられる場合を例示しているが、これに限られるものではない。例えば、チャンバ支持金具５の延設部６４を空気調和機本体１２０の左右方向の側面と略同一の位置まで延設することにより、空気調和機本体１２０を支持する吊りボルト１０９と同じ位置の山部２１１に、吹出チャンバ１４０を支持する吊りボルト１０９ａを設置することができる。
【００５１】
また、上述したチャンバ支持金具５は、吹出チャンバ１４０を支持する位置を空気調和機１００の前後方向（Ｙ方向）に延長することも可能である。図７は、チャンバ支持金具５を空気調和機１００の前後方向（Ｙ方向）に延長する配置例を示す図である。図７に示すように、吹出チャンバ１４０の左右両側面の上側の角部にそれぞれ１つずつチャンバ支持金具５を取り付け、各チャンバ支持金具５の延設部６４を空気調和機１００の前後方向に延びるように配置する。このとき、吹出チャンバ１４０に対する固定部６３の取付位置を空気調和機１００の前後方向に調整することにより、延設部６４が吹出チャンバ１４０の端面から突出する長さを調整することが可能であり、空気調和機１００の前後方向における取付孔６６の位置を調整することができる。例えば、空気調和機１００の前後方向（Ｙ方向）にデッキプレート２１０の波形形状が存在する場合、図７に示したようにチャンバ支持金具５を吹出チャンバ１４０の左右両側に取り付け、延設部６４を前後方向に延設することにより、デッキプレート２１０の山部２１１の直下の位置に取付孔６６を設けることができる。
【００５２】
図８は、チャンバ支持金具５を用いてデッキプレート２１０に取り付けた吊りボルト１０９で吹出チャンバ１４０を支持する支持構造の例を示す図である。図８に示すように、空気調和機１００の前後方向（Ｙ方向）にデッキプレート２１０の波形形状が存在する場合、空気調和機本体１２０の左右両側面に設けられた取付片１２３をデッキプレート２１０の山部２１１の直下に配置し、山部２１１から垂下する吊りボルト１０９の下部を取付片１２３に接続することで、空気調和機本体１２０が天井空間に吊り下げられた状態で設置される。吹出チャンバ１４０には、図７に示したようにチャンバ支持金具５が取り付けられ、延設部６４の先端に設けられた取付孔６６がデッキプレート２１０の山部２１１の直下に位置している。そのため、吹出チャンバ１４０を支持する吊りボルト１０９は、上端部が取付孔６６の直上の山部２１１に取り付けられ、下端部が取付孔６６に挿通されて延設部６４を支持する。そのため、本実施形態のチャンバ支持金具５を用いれば、図８に示すように、吹出チャンバ１４０を支持する吊りボルト１０９ａを鉛直方向に垂下させた状態に取り付けることが可能であり、支持強度を低下させてしまったり、空気調和機１００の姿勢を不安定にしてしまうといった従来の問題が生じない。尚、この場合、吹出チャンバ１４０の左右方向の長さは、空気調和機本体１２０の左右方向の長さと同程度であっても良いし、空気調和機本体１２０よりも長尺であっても良い。
【００５３】
以上、本考案に関する好ましい実施形態を説明したが、本考案は、上記実施形態において説明したものに限定されるものではない。すなわち、本考案には、上記各実施形態において説明したものに種々の変形例を適用したものの含まれる。
【００５４】
例えば、上記実施形態では、空気調和機１００の一例として隠蔽式の空気調和機を例示した。しかし、上述した支持構造によって吊り下げ可能な空気調和機１００は、必ずしも隠蔽式の空気調和機に限られない。すなわち、上述した支持装置１は、天井設置タイプの空気調和機であれば、どのような空気調和機であっても構わない。
【００５５】
また、上記実施形態では、吹出チャンバ１４０の左右方向の長さが空気調和機本体１２０よりも短尺である場合を例示した。しかし、これに限られるものではなく、吸気チャンバ１５０の左右方向の長さが空気調和機本体１２０よりも短尺であっても構わない。
【００５６】
更に、上記実施形態では、吹出チャンバ１４０の左右方向の一端側にチャンバ支持金具５を取り付ける場合を例示した。しかし、これに限られるものでもない。例えば、空気調和機本体１２０に対して吹出チャンバ１４０が装着されたとき、吹出チャンバ１４０の左右方向両端が空気調和機本体１２０の両端部の位置に届かない状態となった場合には、吹出チャンバ１４０の左右両側に、上述したチャンバ支持金具５を取り付けるようにすれば良い。
【符号の説明】
【００５７】
１…支持装置、４…フレーム枠体、５…チャンバ支持金具、１０…第１フレーム部材、２０…第２フレーム部材、４０…支持ボルト（第１支持部材、第２支持部材）、６３…固定部、６４…延設部、６６…取付孔（接続部）、１００…空気調和機、１２０…空気調和機本体、１４０…吹出チャンバ（チャンバ）、１５０…吸気チャンバ（チャンバ）。
【図１】
0003229813.tif 000003
【図２】
0003229813.tif 000004
【図３】
0003229813.tif 000005
【図４】
0003229813.tif 000006
【図５】
0003229813.tif 000007
【図６】
0003229813.tif 000008
【図７】
0003229813.tif 000009
【図８】
0003229813.tif 000010
【図９】
0003229813.tif 000011
【図１０】
0003229813.tif 000012
【図１１】
0003229813.tif 000013